(57)【要約】【課題】簡易且つ迅速に装着でき、快適に使用できる尿取りパッドを提供する。【解決手段】この尿取りパッドは、シート状の吸収性部材と、上記吸収性部材の一方の面に貼り付けられた液不透過性部材からなるバックシートと、を備え、上記吸収部材及び上記バックシートからなる積層体の略中央部よりも上の領域において当該積層体の長手方向に延びた開口部が設けられており、装着に際しては上記開口部より陰茎を挿入し、当該開口部よりも下に設けられた上記積層体の短手方向に平行な折曲部で上記積層体を上記バックシートが外面となるように折り曲げることを特徴とする。【選択図】  図１
0003181218.tif 000002
【実用新案登録請求の範囲】
【請求項１】
シート状の吸収性部材と、
上記吸収性部材の一方の面に貼り付けられた液不透過性部材からなるバックシートと、
を備え、
上記吸収部材及び上記バックシートからなる積層体の略中央部よりも上の領域において当該積層体の長手方向に延びた開口部が設けられており、
装着に際しては上記開口部より陰茎を挿入し、当該開口部よりも下に設けられた上記積層体の短手方向に平行な折曲部で上記積層体を上記バックシートが外面となるように折り曲げること
を特徴とする尿取りパッドが提供される。
【請求項２】
上記吸収性部材の他方の面には液透過性部材からなるトップシートが貼り付けられていること
を特徴とする請求項１に記載の尿取りパッド。
【請求項３】
上記バックシートの中央より下方の領域には、上記積層体の長手方向に平行となるように所定長の粘着テープが設けられていること
を特徴とする請求項１に記載の尿取りパッド。
【請求項４】
上記積層体の長手方向に延びた両端の略中央部分に所定長だけ糸ゴム入りのギャザーが設けられていること
を特徴とする請求項１に記載の尿取りパッド。
【請求項５】
吸収性部材と、当該吸収性部材の一方の面に貼り付けられたバックシートとを有する積層体を、備え、上記積層体の長手方向の両端が接合部で接合することで、上部及び下部の少なくともいずれかが開口した中空の筒状体に成形され、上記積層体の長手方向の略中央から上部にかけて所定長の開口部が設けられていること
を特徴とする尿取りパッド。
【請求項６】
上記吸収性部材の他方の面には液透過性部材からなるトップシートが貼り付けられていること
を特徴とする請求項５に記載の尿取りパッド。
【請求項７】
上記バックシートの開口部の配設位置と対向する面には、所定長の粘着テープが設けられていること
を特徴とする請求項５に記載の尿取りパッド。
【請求項８】
上記積層体の上部の開口部には、略Ｕ字状のくぼみ部が設けられていること
を特徴とする請求項５に記載の尿取りパッド。
【考案の詳細な説明】
【技術分野】
【０００１】
本考案は、例えば紙おむつ等の中に重ねて装着する尿取りパッドに関する。
【背景技術】
【０００２】
従来、成人用の使い捨ておむつと併せて、尿取りパッドが広く使われている。特に男性用の尿取りパッドには、男性器を覆うようなタイプのものがある。これは、尿を効率良く吸収することができ、排尿の度に当該尿取りパッドだけを交換すればよいので、経済的負担を軽減することができ、しかも衛生状態を保つことができる。
【０００３】
ここで、例えば、特許文献１では、男性用尿取りパッドが開示されている。即ち、同技術では、陰茎を収納するように袋状に形成した尿取りパッドの、睾丸に当接する側の外側面に汗を吸収する生理ナプキンを貼付し、尿取りパッドの外面側の不透液性シートが当接される睾丸や股間の局部での発汗を吸収する。
【先行技術文献】
【特許文献】
【０００４】
【特許文献１】特開２０１０−３５６９１号公報
【考案の概要】
【考案が解決しようとする課題】
【０００５】
しかしながら、上記特許文献１に開示された男性用尿取りパッドは、外面側の左側下部と右側中央部に両面接着テープが設けられており、使用時には折り畳んで、両面接着テープで接着して、先細りの袋状に形成して使用される。従って、袋状に形成するのに手間がかかり、単に折り畳んだ袋状なので、陰茎の装着部分に快適さを向上させる工夫もされておらず、装着状態も安定しない。
【０００６】
そこで、本考案は上述した技術的な課題に鑑みてなされたもので、簡易且つ迅速に装着することができ、快適に使用できる尿取りパッドを提供することを目的とする。
【課題を解決するための手段】
【０００７】
上述したような技術的な課題を解決するため、本考案の第１の態様に係る尿取りパッドは、シート状の吸収性部材と、上記吸収性部材の一方の面に貼り付けられた液不透過性部材からなるバックシートと、を備え、上記吸収部材及び上記バックシートからなる積層体の略中央部よりも上の領域において当該積層体の長手方向に延びた開口部が設けられており、装着に際しては上記開口部より陰茎を挿入し、当該開口部よりも下に設けられた上記積層体の短手方向に平行な折曲部で上記積層体を上記バックシートが外面となるように折り曲げることを特徴とする。
【０００８】
本考案の第２の態様に係る尿取りパッドは、吸収性部材と、当該吸収性部材の一方の面に貼り付けられたバックシートとを有する積層体を、備え、上記積層体の長手方向の両端が接合部で接合することで、上部及び下部の少なくともいずれかが開口した中空の筒状体に成形され、上記積層体の長手方向の略中央から上部にかけて所定長の開口部が設けられていることを特徴とする。
【考案の効果】
【０００９】
本考案によれば、簡易且つ迅速に装着することができ、快適に使用できる尿取りパッドを提供することができる。
【図面の簡単な説明】
【００１０】
【図１】本考案の第１の実施形態に係る尿取りパッドの構成図である。
【図２】本考案の第１の実施形態に係る尿取りパッドの使用態様図である。
【図３】本考案の第１の実施形態に係る尿取りパッドの使用状態を示す図である。
【図４】本考案の第１の実施形態に係る尿取りパッドの使用状態を示す図である。
【図５】本考案の第２の実施形態に係る尿取りパッドの構成図である。
【図６】本考案の第２の実施形態に係る尿取りパッドの使用状態を示す図である。
【図７】本考案の第３の実施形態に係る尿取りパッドの構成図である。
【図８】本考案の第３の実施形態に係る尿取りパッドの使用状態を示す図である。
【図９】本考案の第４の実施形態に係る尿取りパッドの構成図である。
【図１０】本考案の第５の実施形態に係る尿取りパッドの構成図である。
【考案を実施するための形態】
【００１１】
以下、本考案の尿取りパッドに係る好適な実施形態について図面を参照しながら説明する。なお、本考案の尿取りパッドは、以下の記述に限定されるものではなく、本考案の要旨を逸脱しない範囲において、適宜変更可能である。
【００１２】
（第１の実施形態）
図１には本考案の第１の実施形態に係る尿取りパッドの構成図を示し、図２には当該尿取りパッドの使用態様図を示し、図３，４には本考案の第１の実施形態に係る尿取りパッドの使用状態を示し、説明する。
【００１３】
図１に示されるように、尿取りパッド１は、シート状の吸収性部材２からなり、当該吸収性部材２の一方の面（装着時に外表面に相当）にはバックシート６が、他方の面（装着時に内表面に相当）にはトップシート８が、貼り付けられている。即ち、この尿取りパッド１は、トップシート８と吸収性部材２、バックシート６の積層体からなる。但し、吸収性部材２の単層、或いは吸収性部材２とバックシート６との複層としてもよいことは勿論である。
【００１４】
吸収性部材２としては、高吸水性ポリマー、親水性シート、フラッフパルプ等を採用することができる。これに加えて、熱融着繊維等の合成繊維を含んだものを用いて型崩れを防止してもよい。また、吸収性部材２は、複層のマット状でもよい。
【００１５】
トップシート８は、少なくともその一部が液透過性部材により構成されている。液透過性部材としては、不織布、多孔性フィルム等、ポリプロピレン、ポリエチレン、ポリエステル、ナイロン等の熱可塑性樹脂からなる不織布に親水化処理を施したものを用いることができる。
【００１６】
そして、バックシート６は、液不透過性部材により構成されている。例えば、ポリエチレン等の樹脂からなる液不透過性フィルム等を採用できる。また、液不透過性フィルムに不織布を貼り付けたフィルムからなるものも採用してもよい。
【００１７】
尿取りパッド１は、その長手方向に延びた両端の略中央部分に所定長だけ糸ゴム入りのギャザー３ａ，３ｂが設けられており、略中央部分に短手方向に平行に設けられた折曲部７での折り曲げを容易ならしめている。尿取りパッド１は、例えば長手方向に約３０〜４０ｃｍ、短手方向に約１３〜１５ｃｍの矩形状となっているが、これには限定されないことは勿論である。
【００１８】
尿取りパッド１の吸収性部材２、トップシート８、バックシート６は、前述したように積層されているが、積層体の略中央部よりも上の領域において、長手方向に延びた楕円形の開口部４が設けられている。これは、装着時にペニスを挿入する部分である。尚、開口部４の形状は楕円形に限らず、円形、矩形状、いずれの形状でもよい。但し、縦長の楕円形とした場合には、陰茎の多様なサイズに装着位置を対応させることが可能となる。
【００１９】
尿取りパッド１のバックシート６の中央より下方の領域には、長手方向に平行となるように所定長の２本の粘着テープ５ａ，５ｂが設けられている。この粘着テープ等を用いれば、尿取りパッド１を衣類や紙おむつ等の内側にしっかりと固定することができ、位置ずれを有効に防止することができる。なお、粘着テープとしては、衣類や紙おむつ等に使用されている公知の粘着テープを採用することができ、使用前には粘着力低下を防止する為に、粘着部分を保護しておいてよい。また、粘着テープの数は２つに限定されないことは勿論である。
【００２０】
次に、実際の使用態様について説明する。
【００２１】
図２に示されるように、実際に使用する際には、バックシート６の略中央よりも上方の領域が陰部の肌に当接するように当てがい、その際に開口部４にペニスを挿入する。そして、トップシート８が内側となるように、折曲部７で吸収性部材２を折り畳む。このとき折曲部７の両端はギャザー３ａ，３ｂとなっているので、簡易に折り曲げることが可能である。この折り曲げにより、ペニスは２つ折りにされたトップシート８により表裏を覆われることになる。従って、放尿された尿はトップシート８を介して、吸収性部材２により確実に吸収されることになる。
【００２２】
図３，４は、実際に紙おむつの中で尿取りパッド１を併用する様子を示している。この図３に示されるように、２つに吸収性部材２を折り畳むと、バックシート６の略半分が前面に向くのでそのバックシート６に設けられた粘着テープ５ａ（５ｂ）が、紙おむつ側の内面に向くことになる。そこで、当該粘着テープ５ａ（５ｂ）を紙おむつの内面にしっかりと貼り付ければ、位置ずれしないように固定することが可能となる。
【００２３】
以上説明したように、本考案の第１の実施形態によれば、シート状の吸収性部材２と上記吸収性部材２の一方の面に貼り付けられた液不透過性部材からなるバックシート６とを備え、上記吸収部材２及び上記バックシート６を有する積層体の略中央部よりも上の領域において当該積層体の長手方向に延びた開口部４が設けられており、装着に際しては上記開口部４よりペニスが挿入され、当該開口部４よりも下に設けられた上記積層体の短手方向に平行な折曲部７で上記積層体を上記バックシート６が外面となるように２つに折り曲げることを特徴とする尿取りパッドが提供される。
【００２４】
ここで、上記吸収性部材２の他方の面には液透過性部材からなるトップシート８が貼り付けられてもよい。
【００２５】
さらに、上記バックシート６の中央より下方の領域には、上記積層体の長手方向に平行となるように所定長の粘着テープ５ａ，５ｂが設けられていてよい。
【００２６】
また、上記積層体の長手方向に延びた両端の略中央部分に所定長だけ糸ゴム入りのギャザー３ａ，３ｂが設けられていることとしてもよい。
【００２７】
従って、第１の実施形態に係る尿取りパッドによれば、２つ折りにするだけで簡易に装着できると共に、紙おむつ等との併用に際して当該紙おむつとの位置関係を維持することができ、簡易な構成であることから製造コストも大幅に削減することができる。また、装着された後においても、左右の両端が開いているので、通気性がよく、快適な使用感をユーザに与えることができる。
【００２８】
（第２の実施形態）
図５には本考案の第２の実施形態に係る尿取りパッドの構成図を示し、図６には当該尿取りパッドの使用状態を示し、説明する。
【００２９】
図５に示されるように、尿取りパッド１０は、吸収性部材１２と、当該吸収性部材１２の一方の面に貼り付けられたトップシート１１と、他方の面に貼りつけられたバックシート１３と、からなる積層体１４により構成されている。そして、積層体１４は、接合部１７で両端を接合することで、開口部が楕円形状の中空の筒状体に成形されており、トップシート１１は筒状体の内側、バックシート１３は筒状体の外側に位置する。尚、吸収性部材１２のみの単層、或いは吸収性部材１２とバックシート１３とからなる複層で構成してもよいことは勿論である。
【００３０】
吸収性部材１２としては、高吸水性ポリマー、親水性シート、フラッフパルプ等を採用することができる。これに加えて、熱融着繊維等の合成繊維を含んだものを用いて型崩れを防止してもよい。また、吸収性部材１２は、複層のマット状でもよい。
【００３１】
トップシート１１は、少なくともその一部が液透過性部材により構成されている。液透過性部材としては、不織布、多孔性フィルム等、ポリプロピレン、ポリエチレン、ポリエステル、ナイロン等の熱可塑性樹脂からなる不織布に親水化処理を施したものを用いることができる。
【００３２】
そして、バックシート１３は、液不透過性部材により構成されている。例えば、ポリエチレン等の樹脂からなる液不透過性フィルム等を採用できる。また、液不透過性フィルムに不織布を貼り付けたフィルムからなるものも採用してもよい。
【００３３】
積層体１４は、上部と下部に開口部１８，１５があり、筒状で中空となっている。上部の開口部１８の直径は例えば約１３〜１５ｃｍ、下部の開口部の直径は例えば約３〜４ｃｍとなっている。つまり、積層体１４は、上部からしばらく略同じ径の筒状の形状が続いた後、下方にて直径が段階的に小さくなるように構成されている。所謂先細りの形状である。
【００３４】
そして、積層体１４には、その長手方向の略中央から上部にかけて所定長縦長の楕円形の開口部１９が設けられている。この開口部１９は、装着時にペニスを挿入するためのものである。開口部１９の長手方向の径は例えば約１０ｃｍ、尿取りパッド１０の全体の長手方向の長さは例えば約２０〜２５ｃｍとなっている。尚、開口部１９の形状は楕円形に限定されるものではなく、円形、矩形等、種々の形状とすることができる。縦長楕円形の形状とした場合には、多種多様な陰茎のサイズに合わせて、装着位置の位置合わせを容易に行うことを可能ならしめる。
【００３５】
更に、バックシート１３の、開口部１９の配設位置と対向する面には、尿取りパッド１０の長手方向に平行となるように、所定長の２本の粘着テープ１６ａ，１６ｂが設けられている。この粘着テープ等を用いれば、尿取りパッド１０を衣類や紙おむつ等の内側にしっかりと固定することができ、位置ずれを有効に防止することができる。なお、粘着テープとしては、衣類や紙おむつ等に使用されている公知の粘着テープを採用でき、使用前には粘着力低下を防止する為に、粘着部分を保護しておいてよい。粘着テープは２本に限らないことは勿論である。
【００３６】
図６は、実際に紙おむつの中で尿取りパッド１０を併用する様子を示している。この図６に示されるように、開口部１９からペニスを挿入すると、筒状の積層体１４によりペニスは被覆される。この装着状態では、開口部１９に対向するバックシート１３の領域が前面に向くのでそのバックシート１３に設けられた粘着テープ１６ａ（１６ｂ）が、紙おむつ側の内面に向くことになる。そこで、当該粘着テープ１６ａ（１６ｂ）を紙おむつの内面にしっかりと貼り付ければ、位置ずれしないように固定することが可能となる。
【００３７】
以上説明したように、本考案の第２の実施形態によれば、吸収性部材１２と、当該吸収性部材１２の一方の面に貼り付けられたバックシート１３とを有する積層体１４を備えており、上記積層体１４の長手方向の両端が接合部１７で接合することで、上部及び下部が開口１８，１５した中空の筒状体に成形され、上記積層体１４の長手方向の略中央から上部にかけて所定長の開口部１９が設けられていること、を特徴とする尿取りパッド１０が提供される。
【００３８】
ここで、上記吸収性部材１２の他方の面には液透過性部材からなるトップシート１１が貼り付けられてもよい。
【００３９】
さらに、上記バックシート１３の開口部１９の配設位置と対向する面には、長手方向に平行となるように、所定長の粘着テープ１６ａ，１６ｂが設けられていてよい。
【００４０】
従って、第２の実施形態に係る尿取りパッドによれば、開口部１９にペニスを挿入するだけで簡易に装着できると共に、紙おむつ等との併用に際して当該紙おむつとの位置関係を維持することができ、簡易な構成であることから製造コストも大幅に削減することができる。また、装着された後においても、上部及び下部が開口部１８，１５により開いているので、通気性がよく、快適な使用感をユーザに与えることができる。また、この開口部１８，１５に指を入れて装着作業をすることもでき、作業効率がよい。さらに、ペニスを包み込む構成なので、しっかりと尿を吸収することができる。
【００４１】
（第３の実施形態）
図７には本考案の第３の実施形態に係る尿取りパッドの構成図を示し、図８には当該尿取りパッドの使用状態を示し、説明する。
【００４２】
図７に示されるように、尿取りパッド２０は、吸収性部材２２と、その一方の面に貼り付けられたトップシート２１と、他方の面に貼りつけられたバックシート２３と、からなる積層体２４により構成されている。そして、積層体２４は、接合部２６で両端並びに下端を接合することで、開口部が楕円形状の中空の筒状体に成形されており、トップシート２１は筒状体の内側、バックシート２３は筒状体の外側に位置する。尚、吸収性部材２２のみの単層、或いは吸収性部材２２とバックシート２３からなる複層で構成してもよいことは勿論である。積層体２４は、両端並びに下端が接合されているので、所謂袋状になっている。
【００４３】
吸収性部材２２としては、高吸水性ポリマー、親水性シート、フラッフパルプ等を採用することができる。これに加えて、熱融着繊維等の合成繊維を含んだものを用いて型崩れを防止してもよい。また、吸収性部材２２は、複層のマット状でもよい。
【００４４】
トップシート２１は、少なくともその一部が液透過性部材により構成されている。液透過性部材としては、不織布、多孔性フィルム等、ポリプロピレン、ポリエチレン、ポリエステル、ナイロン等の熱可塑性樹脂からなる不織布に親水化処理を施したものを用いることができる。
【００４５】
そして、バックシート２３は、液不透過性部材により構成されている。例えば、ポリエチレン等の樹脂からなる液不透過性フィルム等を採用できる。また、液不透過性フィルムに不織布を貼り付けたフィルムからなるものも採用してもよい。
【００４６】
積層体２４は、上部にのみ開口部２７があり、中空となっている。上部の開口部２７の直径は例えば約１３〜１５ｃｍとなっている。積層体２４は、上部からしばらく同じ径の筒状が続いた後、下方にて直径が段階的に小さくなるように構成されている。いわゆる先細りの形状となっている。
【００４７】
そして、積層体２４には、その長手方向の略中央から上部にかけて所定長縦長の楕円形の開口部２８が設けられている。この開口部２８は、装着時にペニスを挿入するためのものである。開口部２８の長手方向の径は例えば約１０ｃｍ、尿取りパッド２０の全体の長手方向の長さは例えば約２０〜２５ｃｍとなっている。尚、開口部２８は、楕円形に限定されることなく、例えば円形、矩形等、種々の形状とすることができる。縦長の楕円形とした場合には、尿取りパッド２０が、様々なサイズの陰茎にフィットするよう位置合わせをすることが可能となる。
【００４８】
さらに、バックシート２３の、開口部２８の配設位置と対向する面には、尿取りパッド２０の長手方向に平行となるように、所定長の２本の粘着テープ２５ａ，２５ｂが設けられており、更に短手方向に平行となるように、所定長の１本の粘着テープ２５ｃが設けられている。この粘着テープ等を用いれば、尿取りパッド２０を衣類や紙おむつ等の内側にしっかりと固定することができ、位置ずれを有効に防止することができる。なお、粘着テープとしては、衣類や紙おむつ等に使用されている公知の粘着テープを採用でき、使用前には粘着力低下を防止する為に、粘着部分を保護しておいてよい。粘着テープの数は３本に限定されるものではない。
【００４９】
図８は、実際に紙おむつの中で尿取りパッド２０を併用する様子を示している。この図８に示されるように、開口部２８からペニスを挿入すると、筒状の積層体２４によりペニスは被覆される。この装着状態では、開口部２８に対向するバックシート２３の領域が前面に向くのでそのバックシート２３に設けられた粘着テープ２５ａ（２５ｂ），２５ｃが紙おむつ側の内面に向くことになる。そこで、当該粘着テープ２５ａ（２５ｂ），２５ｃを紙おむつの内面にしっかりと貼り付ければ、位置ずれしないように固定可能となる。
【００５０】
以上説明したように、本考案の第３の実施形態によれば、吸収性部材２２と、当該吸収性部材２２の一方の面に貼り付けられたバックシート２３とを有する積層体２４を備えており、上記積層体２４の長手方向の両端が接合部２６で接合することで、上部が開口２７した中空の筒状体に成形され、上記積層体２４の長手方向の略中央から上部にかけて所定長の開口部２８が設けられていること、を特徴とする尿取りパッド２０が提供される。
【００５１】
ここで、上記吸収性部材２２の他方の面には液透過性部材からなるトップシート２１が貼り付けられてもよい。
【００５２】
さらに、上記バックシート２３の開口部２８の配設位置と対向する面には、長手方向に平行となるように、所定長の粘着テープ２５ａ，２５ｂが設けられ、短手方向と平行となるように、所定長の粘着テープ２５ｃが設けられていてよい。
【００５３】
従って、第３の実施形態に係る尿取りパッドによれば、開口部２８にペニスを挿入するだけで簡易に装着できると共に、紙おむつ等との併用に際して当該紙おむつとの位置関係を維持することができ、簡易な構成であることから製造コストも大幅に削減することができる。また、下部が閉じられているので、長時間の運転や労働、会議等でも、しっかりと尿を吸収することができるので、安心して着用することができる。
【００５４】
（第４の実施形態）
図９には本考案の第４の実施形態に係る尿取りパッドの構成図を示し説明する。
【００５５】
図９に示されるように、尿取りパッド３０は、吸収性部材３２と、その一方の面に貼り付けられたトップシート３１と、他方の面に貼りつけられたバックシート３３と、からなる積層体３４により構成されている。そして、積層体３４は、接合部３７で両端を接合することで、開口部が楕円形状の中空の筒状体に成形されており、トップシート３１は筒状体の内側、バックシート３３は筒状体の外側に位置する。尚、吸収性部材３２のみの単層或いは吸収性部材３２とバックシート３３との複層で構成してもよい。
【００５６】
吸収性部材３２としては、高吸水性ポリマー、親水性シート、フラッフパルプ等を採用することができる。これに加えて、熱融着繊維等の合成繊維を含んだものを用いて型崩れを防止してもよい。また、吸収性部材３２は、複層のマット状でもよい。
【００５７】
トップシート３１は、少なくともその一部が液透過性部材により構成されている。液透過性部材としては、不織布、多孔性フィルム等、ポリプロピレン、ポリエチレン、ポリエステル、ナイロン等の熱可塑性樹脂からなる不織布に親水化処理を施したものを用いることができる。
【００５８】
そして、バックシート３３は、液不透過性部材により構成されている。例えば、ポリエチレン等の樹脂からなる液不透過性フィルム等を採用できる。また、液不透過性フィルムに不織布を貼り付けたフィルムからなるものも採用してもよい。
【００５９】
積層体３４は、上部と下部に開口部３８，３５があり、中空となっている。上部の開口部３８の直径は例えば約１３〜１５ｃｍ、下部の開口部３５の直径は例えば約３〜４ｃｍとなっている。但し、これには限定されない。つまり、積層体３４は、上部からしばらく同じ径の筒状が続いた後、下方にて直径が段階的に小さくなるように構成されている。そして、上部の開口部３８には、略Ｕ字状のくぼみ部３９が設けられている。これは、装着時にペニスを尿取りパッド３０の内部へ挿入するためのものである。
【００６０】
更に、バックシート３３のくぼみ部３９の配設位置と対向する面には、尿取りパッド３０の短手方向に平行となるように、所定長の２本の粘着テープ３６ａ，３６ｂが設けられている。この粘着テープ等を用いれば、尿取りパッド３０を衣類や紙おむつ等の内側にしっかりと固定することができ、位置ずれを有効に防止することができる。なお、粘着テープとしては、衣類や紙おむつ等に使用されている公知の粘着テープを採用でき、使用前には粘着力低下を防止する為に、粘着部分を保護しておいてよい。粘着テープの数は２本には限定されないことは勿論である。
【００６１】
以上説明したように、本考案の第４の実施形態によれば、吸収性部材３２と、当該吸収性部材３２の一方の面に貼り付けられたバックシート３３とを有する積層体３４を備えており、上記積層体３４の長手方向の両端が接合部３７で接合することで、上部及び下部が開口３８，３５した中空の筒状体に成形され、上記積層体３４の上記上部の開口部３８に略Ｕ字状のくぼみ部３９が設けられていること、を特徴とする尿取りパッド３０が提供される。
【００６２】
従って、第４の実施形態に係る尿取りパッドによれば、くぼみ部３９よりペニスを尿取りパッド３０の内部に挿入するだけで簡易に装着できると共に、紙おむつ等との併用に際して当該紙おむつとの位置関係を維持することができ、簡易な構成であることから製造コストも大幅に削減することができる。また、装着された後においても、上部及び下部が開口部３８，３５により開いているので、通気性がよく、快適な使用感をユーザに与えることができる。また、この開口部３８，３５に指を入れて装着作業をすることもでき、作業効率がよい。さらに、ペニスを包み込む構成なので、しっかりと尿を吸収することができる。
【００６３】
（第５の実施形態）
図１０には本考案の第５の実施形態に係る尿取りパッドの構成図を示し説明する。
【００６４】
図１０に示されるように、尿取りパッド４０は、吸収性部材４２と、その一方の面に貼り付けられたトップシート４１と、他方の面に貼りつけられたバックシート４３と、からなる積層体４４により構成されている。そして、積層体４４は、接合部４６で両端並びに下端を接合することで、開口部が楕円形状の中空の筒状体に成形されており、トップシート４１は筒状体の内側、バックシート４３は筒状体の外側に位置する。尚、吸収性部材４２の単層、或いは吸収性部材４２とバックシート４３との複層により構成してもよい。
【００６５】
吸収性部材４２としては、高吸水性ポリマー、親水性シート、フラッフパルプ等を採用することができる。これに加えて、熱融着繊維等の合成繊維を含んだものを用いて型崩れを防止してもよい。また、吸収性部材４２は、複層のマット状でもよい。
【００６６】
トップシート４１は、少なくともその一部が液透過性部材により構成されている。液透過性部材としては、不織布、多孔性フィルム等、ポリプロピレン、ポリエチレン、ポリエステル、ナイロン等の熱可塑性樹脂からなる不織布に親水化処理を施したものを用いることができる。
【００６７】
そして、バックシート４３は、液不透過性部材により構成されている。例えば、ポリエチレン等の樹脂からなる液不透過性フィルム等を採用できる。また、液不透過性フィルムに不織布を貼り付けたフィルムからなるものも採用してもよい。
【００６８】
積層体４４は、上部にのみ開口部４７があり、中空となっている。上部の開口部４７の直径は例えば約１３〜１５ｃｍとなっている。積層体４４は、上部からしばらく同じ径の筒状が続いた後、下方にて直径が段階的に小さくなるように構成されている。そして、積層体４４には、その開口部４７に略Ｕ字状のくぼみ部４８が形成されている。このくぼみ部４８は、装着時にペニスを尿取りパッド４０の内部に挿入するためのものである。くぼみ部４８の形状は略Ｕ字状には限定されるものではなく、略Ｖ字状でもよい。
【００６９】
さらに、バックシート４３のくぼみ部４８の配設位置と対向する面には、尿取りパッド４０の短手方向に平行となるように、所定長の２本の粘着テープ４５ａ，４５ｂが設けられている。この粘着テープ等を用いれば、尿取りパッド４０を衣類や紙おむつ等の内側にしっかりと固定することができ、位置ずれを有効に防止することができる。なお、粘着テープとしては、衣類や紙おむつ等に使用されている公知の粘着テープを採用でき、使用前には粘着力低下を防止する為に、粘着部分を保護しておいてよい。
【００７０】
以上説明したように、本考案の第５の実施形態によれば、吸収性部材４２と、当該吸収性部材４２の一方の面に貼り付けられたバックシート４３とを有する積層体４４を備えており、上記積層体４４の長手方向の両端が接合部４６で接合することで、上部が開口４７した中空の筒状体に成形され、上記積層体４４の上記上部の開口部４７に略Ｕ字状のくぼみ部４８が設けられていること、を特徴とする尿取りパッド４０が提供される。
【００７１】
従って、第５の実施形態に係る尿取りパッドによれば、開口部４７のくぼみ部４８より尿取りパッドの内部にペニスを挿入するだけで簡易に装着できると共に、紙おむつ等との併用に際して当該紙おむつとの位置関係を維持することができ、簡易な構成であることから製造コストも大幅に削減することができる。また、下部が閉じられているので、長時間の運転や労働、会議等でも、しっかりと尿を吸収することができるので、安心して着用することができる。
【００７２】
以上、本考案の実施形態について説明したが、本考案はこれに限定されることなく、その主旨を逸脱しない範囲で種々の改良・変更が可能である。例えば、第１の実施形態では積層体を略中央部の折曲部で２つ折りにする例を示したが、これに限定されることなく左右に２つ折りする構成としてもよい。更に、バックシートの陰部の肌に当接する部分にガーゼ等、吸汗性部材を貼り付けてもよい。さらに、第２乃至第５の実施形態では、楕円形状の開口部を設けた例を示したが、開口部は楕円形に限定されず、円形、四角形等、種々の形状とすることが可能である。
【符号の説明】
【００７３】
１  尿取りパッド
２  吸収性部材
３ａ，３ｂ  ギャザー
４  開口部
５ａ，５ｂ  粘着テープ
６  バックシート
７  折曲部
８  トップシート
１０  尿取りパッド
１１  トップシート
１２  吸収性部材
１３  バックシート
１４  積層体
１５  開口部
１６ａ，１６ｂ  粘着テープ
１７  接合部
１８  開口部
１９  開口部
２０  尿取りパッド
２１  トップシート
２２  吸収性部材
２３  バックシート
２４  積層体
２５ａ，２５ｂ，２５ｃ  粘着テープ
２６  接合部
２７  開口部
２８  開口部
３０  尿取りパッド
３１  トップシート
３２  吸収性部材
３３  バックシート
３４  積層体
３５  開口部
３６ａ，３６ｂ，３６ｃ  粘着テープ
３７  接合部
３８  開口部
３９  くぼみ部
４０  尿取りパッド
４１  トップシート
４２  吸収性部材
４３  バックシート
４４  積層体
４５ａ，４５ｂ  粘着テープ
４６  接合部
４７  開口部
４８  くぼみ部
【図１】
0003181218.tif 000003
【図２】
0003181218.tif 000004
【図３】
0003181218.tif 000005
【図４】
0003181218.tif 000006
【図５】
0003181218.tif 000007
【図６】
0003181218.tif 000008
【図７】
0003181218.tif 000009
【図８】
0003181218.tif 000010
【図９】
0003181218.tif 000011
【図１０】
0003181218.tif 000012